(57)【特許請求の範囲】
【請求項１】
流入した空気中の塵埃を除去する除塵部と、除塵部の下流側において空気中の細菌を除去する除菌部とを有し、
除塵部は、空気中に除塵用液を噴霧する噴霧装置を有し、
除菌部は、流入した空気に殺菌力を有する殺菌用液を接触させる除菌装置を有し、
除菌装置は、流入した空気が通過する除菌エレメントと、殺菌用液を除菌エレメントに滴下する滴下部とを有し、
除菌エレメントを流下して除菌エレメントから排出された濃度の低下した殺菌用液を受ける液受け部が設けられ、
液受け部に溜められた殺菌用液が除塵用液として噴霧装置から噴霧されることを特徴とする空気清浄装置。
【請求項２】
噴霧装置から除塵用液として噴霧された殺菌用液が液受け部で受けられることを特徴とする請求項１記載の空気清浄装置。
【請求項３】
除塵部は、噴霧装置の下流側に、除塵部に流入した空気が通過するワッシャメディアを備え、
噴霧装置は除塵用液がワッシャメディアに達するように噴霧することを特徴とする請求項１又は請求項２に記載の空気清浄装置。
【請求項４】
上記請求項１から請求項３のいずれか１項に記載の空気清浄装置を備えた空気調和機であって、
空気清浄装置の下流側に、空気清浄装置から排出された空気が通過するフィルタが設けられていることを特徴とする空気調和機。
【請求項５】
除菌部において、高濃度の殺菌用液を除菌エレメントに滴下して含浸させ、
除菌部の上流側に設けられた除塵部において、除菌エレメントを流れ落ちて低濃度となった殺菌用液を、流入する空気中に噴霧して除塵し、
除塵部において除塵された後の空気を、下流側の除菌部において除菌エレメントに通過させて除菌することを特徴とする空気清浄方法。
【発明の詳細な説明】
【技術分野】
【０００１】
本発明は、除塵や除菌機能を有する空気清浄装置、および空気清浄装置を備えた空気調和機、および空気清浄方法に関する。
【背景技術】
【０００２】
従来、この種の空気清浄装置としては、例えば、図７に示すように、筐体８５の下部に吸込口８６が形成され、吸込口８６の上方にプレフィルタ８７が配置され、プレフィルタ８７の上方に送風ファン８８が配置され、送風ファン８８の上方に気液接触部材８９が配置され、気液接触部材８９の上方に吹出口９０が配置されているものがある。
【０００３】
また、筐体８５内には、気液接触部材８９に電解水を滴下させる電解水滴下手段（図示省略）と、気液接触部材８９の下方に配置され、気液接触部材８９を通過した電解水を受ける水受け皿９２と、水受け皿９２に溜まった電解水を電解水滴下手段に循環させる循環ポンプ（図示省略）とが備えられている。
【０００４】
これによると、送風ファン８８を稼動させることにより、吸込口８６から流入した空気は、プレフィルタ８７を通過した後、気液接触部材８９を通過して吹出口９０から室内に供給される。この際、循環ポンプにより電解水滴下手段を介して、電解水が気液接触部材８９に供給されているため、空気が気液接触部材８９を通過する時に電解水に接触し、空気が除菌される。
【０００５】
上記のような空気清浄装置は下記特許文献１に記載されている。
【先行技術文献】
【特許文献】
【０００６】
【特許文献１】特開２００７−１４３９３７
【発明の概要】
【発明が解決しようとする課題】
【０００７】
しかしながら上記の従来形式では、気液接触部材８９において、空気と電解水との気液接触効率（飽和効率）を向上させるためには、気液接触部材８９の空隙率を小さくする必要があるが、気液接触部材８９の空隙率を小さくすると、空気中の微細な塵埃が気液接触部材８９に目詰まりし、除菌機能が低下する問題がある。尚、気液接触部材８９の上流側に配置されたプレフィルタ８７によって粗大粒子の塵埃は除去されるが、微細粒子の塵埃を除去することは困難であり、微細粒子の塵埃が気液接触部材８９に目詰まりするという問題が発生した。
【０００８】
本発明は、除菌機能の低下を防止し、高度且つ確実な空気清浄が行える空気清浄装置および空気調和機および空気清浄方法を提供することを目的とする。
【課題を解決するための手段】
【０００９】
上記目的を達成するために、本第１発明における空気清浄装置は、流入した空気中の塵埃を除去する除塵部と、除塵部の下流側において空気中の細菌を除去する除菌部とを有し、
除塵部は、空気中に除塵用液を噴霧する噴霧装置を有し、
除菌部は、流入した空気に殺菌力を有する殺菌用液を接触させる除菌装置を有し、
除菌装置は、流入した空気が通過する除菌エレメントと、殺菌用液を除菌エレメントに滴下する滴下部とを有し、
除菌エレメントを流下して除菌エレメントから排出された濃度の低下した殺菌用液を受ける液受け部が設けられ、
液受け部に溜められた殺菌用液が除塵用液として噴霧装置から噴霧されるものである。
【００１０】
これによると、除塵部において、空気清浄装置内に流入した空気に、除塵用液を噴霧装置から噴霧することにより、空気中の粗大および微細な粒子からなる塵埃が噴霧された除塵用液に接触して空気中から確実に除去される。これにより、下流側の除菌部に流入する空気中の微細な粒子からなる塵埃の量が大幅に低減され、除菌装置の除菌機能の低下が防止されると共に、除塵と除菌との負荷が上流側の除塵部と下流側の除菌部とに分散されるため、高度且つ確実な空気清浄が行える。
【００１１】
また、殺菌用液を滴下部から除菌エレメントに滴下することにより、殺菌用液が除菌エレメントに到達するまでに気化したり除菌エレメントの空隙を通過してしまうのを防止することができ、殺菌用液が確実に除菌エレメントに到達して含浸される。
【００１２】
この状態で、空気が除塵部から除菌部に流入し除菌エレメントを通過する。この際、空気が除菌エレメントに含浸された殺菌用液に接触するため、空気が除菌、消臭される。これにより、除菌エレメントの除菌機能の低下が防止され、高度且つ確実な空気清浄が行える。
【００１４】
また、滴下部から除菌エレメントに滴下された殺菌用液は、除菌エレメント内を流下している間に空気と接触し、殺菌用液中の殺菌成分が消費されて濃度が低下する。このようにして濃度が低下した殺菌用液は除菌エレメントから排出されて液受け部に受けられ、液受け部に溜められた低濃度の殺菌用液が除塵用液として噴霧装置から噴霧される。
【００１５】
これにより、除塵部において、空気清浄装置内に流入した空気中の塵埃を除去することができると共に、空気中の細菌をある程度除去することもでき、このため、下流側の除菌エレメントの負荷を軽減することができる。
【００１６】
また、低濃度の殺菌用液が液受け部に溜められるため、液受け部に雑菌が繁殖するのを防止することができる。
本第２発明における空気清浄装置は、噴霧装置から除塵用液として噴霧された殺菌用液が液受け部で受けられるものである。
【００１７】
これによると、液受け部に溜められた低濃度の殺菌用液が除塵用液として噴霧装置から噴霧され、噴霧された低濃度の殺菌用液が下降して液受け部に受けられ、液受け部に溜まった低濃度の殺菌用液が再度噴霧装置から噴霧される。これにより、液受け部に溜まった低濃度の殺菌用液が循環しながら噴霧装置から噴霧されるため、殺菌用液の使用量を節約することができ、殺菌用液の殺菌能力を限界まで十分に利用することができる。
【００１８】
本第３発明における空気清浄装置は、除塵部は、噴霧装置の下流側に、除塵部に流入した空気が通過するワッシャメディアを備え、
噴霧装置は除塵用液がワッシャメディアに達するように噴霧するものである。
【００１９】
これによると、噴霧装置から噴霧されて空気中の塵埃や有害ガスに衝突した除塵用液の微粒子はワッシャメディアに達し、ワッシャメディアが塵埃や有害ガスを伴った除塵用液を捕捉するとともに、捕捉した除塵用液で水膜を形成する。このワッシャメディアでの水膜効果と上流側での噴霧による気液接触との相乗効果で高飽和効率加湿を実現するので、除塵用液と空気との気液接触効率が高まり、塵埃や有害ガスの除去率が向上するとともに、除菌、消臭の効率を高めることができる。また、除塵用液の噴霧により捕捉した塵埃がワッシャメディアで捕捉されるので、除菌部への塵埃の流入を防止することができる。
【００２０】
本第４発明は、上記第１発明から第３発明のいずれか１項に記載の空気清浄装置を備えた空気調和機であって、
空気清浄装置の下流側に、空気清浄装置から排出された空気が通過するフィルタが設けられているものである。
【００２１】
これによると、空気清浄装置で除塵および除菌された空気がフィルタを通過するため、フィルタの負荷が軽減され、フィルタの使用寿命が延長される。また、フィルタにおいて雑菌の増殖が抑制され、異臭の発生を防止することができる。また、空気清浄装置から流出する空気に含まれる殺菌用液の腐食性ミストがフィルタで除去されるため、フィルタの下流側にある機器の腐食を防止することができる。
【００２２】
本第５発明における空気清浄方法は、除菌部において、高濃度の殺菌用液を除菌エレメントに滴下して含浸させ、
除菌部の上流側に設けられた除塵部において、除菌エレメントを流れ落ちて低濃度となった殺菌用液を、流入する空気中に噴霧して除塵し、
除塵部において除塵された後の空気を、下流側の除菌部において除菌エレメントに通過させて除菌するものである。
【００２３】
これによると、除塵と除菌との負荷が上流側の除塵部と下流側の除菌部とに分散されるため、高度且つ確実な空気清浄が行える。
【発明の効果】
【００２４】
以上のように本発明によると、下流側の除菌部に流入する空気中の微細な粒子からなる塵埃の量が大幅に低減され、除菌装置の除菌機能の低下が防止されると共に、除塵と除菌との負荷が上流側の除塵部と下流側の除菌部とに分散されるため、高度且つ確実な空気清浄が行える。
【００２５】
また、殺菌用液が確実に除菌エレメントに到達して含浸され、除菌エレメントの除菌機能の低下が防止される。
また、除塵部において、流入した空気中の塵埃を除去することができると共に、空気中の細菌を除去することもできるため、下流側の除菌エレメントの負荷を軽減することができる。また、液受け部に雑菌が繁殖するのを防止することができる。
【００２６】
また、液受け部に溜まった低濃度の殺菌用液が循環しながら噴霧装置から噴霧されるため、殺菌用液の使用量を節約することができ、殺菌用液の殺菌能力を限界まで十分に利用することができる。
【００２７】
また、ワッシャメディアによる気液接触で空気を飽和状態の近くまで効率良く加湿できるため、除菌、消臭、除塵、ガス除去の効率を高めることができるとともに、除菌部への塵埃の進入を防ぐことができる。
【００２８】
また、フィルタの負荷が軽減され、フィルタの使用寿命が延長される。さらに、フィルタにおいて雑菌の増殖が抑制され、異臭の発生を防止することができる。また、腐食性ミストがフィルタで除去されるため、フィルタの下流側にある機器の腐食を防止することができる。
【図面の簡単な説明】
【００２９】
【図１】本発明の第１の実施の形態における空気調和機の内部構成を示す概略図である。
【図２】同、空気調和機内に備えられた空気清浄装置の構成を示す概略図である。
【図３】本発明の第２の実施の形態における空気調和機の内部構成を示す概略図である。
【図４】本発明の第３の実施の形態における空気調和機の内部構成を示す概略図である。
【図５】本発明の第４の実施の形態における空気調和機の内部構成を示す概略図である。
【図６】本発明の第５の実施の形態における空気調和機の内部構成を示す概略図である。
【図７】従来の空気清浄装置の内部構成を示す図である。
【発明を実施するための形態】
【００３０】
以下、本発明における実施の形態を、図面を参照して説明する。
（第１の実施の形態）
先ず、第１の実施の形態を、図１，図２を参照して説明する。
【００３１】
１はセントラル方式の空気調和機であり、調和機ケーシング２の上流側に、外気を取り込む外気流入口３と、室内へ供給された空気Ａを還気として再び取り込む還気流入口４とが形成され、調和機ケーシング２の下流側に、調整された空気Ａを室内に送り出す送出口５が形成されている。
【００３２】
調和機ケーシング２内には、上流側から下流側に至る順で、外気流入口３および還気流入口４から流入した空気Ａ中の粗大粒子の塵埃を捕捉するプレフィルタ８と、プレフィルタ８を通過した空気Ａを除塵および除菌する空気清浄装置９と、空気清浄装置９を通過した空気Ａ中の微細粒子の塵埃を捕捉する中性能フィルタ１０（フィルタの一例）と、空気Ａを冷却する冷却コイル１１と、空気Ａを温める加熱コイル１２と、調和機ケーシング２内の空気Ａを送出口５から室内に送り出すファン１３とが設けられている。
【００３３】
空気清浄装置９は以下のような構成を有している。
空気清浄装置９は、外気流入口３および還気流入口４から流入してプレフィルタ８を通過した空気Ａ中の塵埃を除去する除塵部１６と、除塵部１６の下流側において空気Ａ中の細菌を除去する除菌部１７とを有している。
【００３４】
除菌部１７は、流入した空気Ａに殺菌力を有する殺菌用液２１を接触させる除菌装置１９を有している。除菌装置１９は、空気の流路断面とほぼ等しい形状を有する除菌エレメント２０と、殺菌用液２１を上方から除菌エレメント２０に滴下する滴下部２２とを有している。
【００３５】
尚、除菌部１７では、殺菌用液２１を除菌エレメント２０に向けて噴霧してもよいが、噴霧した殺菌用液２１はミストとなるため、除菌エレメント２０に到達するまでに気化したり除菌エレメント２０の空隙を通過してしまい、除菌エレメントの殺菌成分の濃度を高めにくくなるため、殺菌用液２１を滴下部２２から除菌エレメント２０の上端部に滴下することが望ましい。
【００３６】
除菌エレメント２０は、例えば、吸水性または親水性を有するポリエチレンやポリエステル等の材料からなる不織布や繊維を、通気孔が形成されるようにハニカム構造やコルゲート構造としたもので、１０〜５０ｍｍ程度の厚みを有するマット状のものである。
【００３７】
尚、滴下部２２には、殺菌用液２１を滴下部２２に供給する供給配管２３が接続されている。供給配管２３には、殺菌用液２１を貯留する貯留部（図示省略）や貯留部内の殺菌用液２１を送り出すポンプ（図示省略）等が接続されている。
【００３８】
また、殺菌用液２１には、例えば、次亜塩素酸ナトリウム溶液、微酸性電解水、電解次亜水、オゾン水、二酸化塩素水等が使用される。除菌エレメント２０の下方には、除菌エレメント２０を流下して除菌エレメント２０の下端部から滴下した殺菌用液２１を受ける液受け槽２４（液受け部の一例）が設けられている。尚、除菌エレメント２０の上端部に滴下された殺菌用液２１は、除菌エレメント２０内を流下している間に殺菌用液２１中の殺菌に有効な成分が消費されて濃度が低下するため、滴下部２２から滴下される殺菌用液２１よりも低濃度の殺菌用液２１が除菌エレメント２０の下端部から液受け槽２４に滴下する。
【００３９】
除塵部１６は、空気の流路断面とほぼ等しい形状を有するワッシャメディア２７と、液受け槽２４に溜められた低濃度の殺菌用液２１を除塵用液としてワッシャメディア２７に達するように噴霧する噴霧装置２８とを有している。
【００４０】
ワッシャメディア２７は、除菌エレメント２０のように吸水性は必要ないが、液体保持量は高いほうが良く、例えば、ポリ塩化ビニルデン系繊維やステンレスの線材等の材料からなる繊維を、空隙率を高くして規則的に編みこんだり、不規則に密集させて、１０〜５０ｍｍ程度の厚みを有するマット状にしたものである。
【００４１】
噴霧装置２８は、複数の噴霧ノズル２９と、一端が各噴霧ノズル２９に接続されると共に他端が液受け槽２４に連通する噴霧用配管３０と、噴霧用配管３０に接続されたポンプ３１とを有している。各噴霧ノズル２９は、プレフィルタ８とワッシャメディア２７との間に位置し、一定の距離をあけて上流側から下流側のワッシャメディア２７に対向している。また、噴霧用配管３０はプレフィルタ８を上流側から下流側へ貫通している。
【００４２】
噴霧ノズル２９は、除塵用液として噴霧された殺菌用液２１が空気Ａの流れに乗ってワッシャメディア２７に達し、ワッシャメディア２７の全面を濡らすように噴霧するものであればよく、噴霧方向が空気Ａ流の流れに対して直交方向に噴霧あるいは上流側に向けて噴霧するものであってもよい。
【００４３】
液受け槽２４は、除菌エレメント２０の下方からワッシャメディア２７の下方を経て噴霧ノズル２９の下方に達する大きさを有している。尚、液受け槽２４の上流側端部（前端部）はプレフィルタ８の下端部に位置している。
【００４４】
液受け槽２４には、槽内の液位が所定高さを越えて上昇するのを防止するためのオーバーフロー防止用排液配管３３が接続されている。
以下、上記構成における作用を説明する。
【００４５】
図１に示すように、ファン１３を稼動すると、外気流入口３および還気流入口４から空気調和機１内に流入した空気Ａは、プレフィルタ８でろ過されて粗大粒子からなる塵埃が除去され、その後、空気清浄装置９において除塵および除菌され、さらに、中性能フィルタ１０でろ過されて微細粒子からなる塵埃が除去され、冷却コイル１１で露点温度に冷却され、加熱コイル１２で所定の温度に温められた後、送出口５から室内に送り出される。
【００４６】
上記空気清浄装置９の除塵および除菌作用を以下に説明する。
除菌部１７では、高濃度の殺菌用液２１を滴下部２２から除菌エレメント２０の上端部に滴下することにより、殺菌用液２１が除菌エレメント２０に到達するまでに気化したり除菌エレメント２０の空隙を通過してしまうのを防止することができ、高濃度の殺菌用液２１が確実に除菌エレメント２０に到達して含浸される。
【００４７】
また、ポンプ３１を稼動させることにより、液受け槽２４内の低濃度の殺菌用液２１（除塵用液）が噴霧ノズル２９からワッシャメディア２７の全面にかかるように噴霧され、ワッシャメディア２７に水膜が形成される。この噴霧ノズル２９からの噴霧とワッシャメディア２７の水膜効果との相乗効果により空気Ａの飽和状態の近くまで効率良く加湿されるため、殺菌用液２１と空気Ａとの接触効率が高まる。この状態で、プレフィルタ８を通過した空気Ａがワッシャメディア２７に向って流れ、この際、除塵部１６において、空気Ａ中の粗大および微細な粒子からなる塵埃や有害なガス（例えばＳＯＸ ，ＮＯＸあるいはＮＨ３、メチルメカプタンなど）が空気Ａ中に充満している低濃度の殺菌用液２１およびワッシャメディア２７に形成される水膜に接触して空気Ａ中から確実に捕捉されると共に、除菌、消臭が行える。
【００４８】
ワッシャメディア２７に捕捉された塵埃は、ワッシャメディア２７を流れ落ちる低濃度の殺菌用液２１により、ワッシャメディア２７から確実に除去される。尚、ワッシャメディア２７を流れ落ちた低濃度の殺菌用液２１は液受け槽２４に落下して溜められる。
【００４９】
ワッシャメディア２７を通過した空気Ａは、その後、除菌部１７の除菌エレメント２０を通過する。この際、空気Ａが除菌エレメント２０に含浸された高濃度の殺菌用液２１に接触するため、空気Ａ中の細菌やウイルス等の微生物が確実に除去される。
【００５０】
また、滴下部２２から除菌エレメント２０の上端部に滴下された高濃度の殺菌用液２１は、除菌エレメント２０内を流下している間に空気Ａと接触し、殺菌用液２１中の殺菌に有効な成分が消費されて濃度が低下する。このようにして濃度が低下した殺菌用液２１は除菌エレメント２０の下端部から液受け槽２４に滴下する。このようにして液受け槽２４に溜められた低濃度の殺菌用液２１が噴霧ノズル２９からワッシャメディア２７に向けて噴霧される。尚、滴下部２２から滴下される高濃度の殺菌用液２１の滴下量は、空気Ａを加湿するのに必要な加湿分に、所定量の余剰分を加えた量であり、余剰分の殺菌用液２１が除菌エレメント２０の下端部から液受け槽２４に滴下する。
【００５１】
上記のように、除塵部１６において、空気Ａ中の粗大および微細な粒子の塵埃が噴霧された低濃度の殺菌用液２１（除塵用液）に接触して確実に除去されるため、除菌エレメント２０に流入する空気Ａ中の微細な粒子からなる塵埃の量が大幅に低減されて、除菌エレメント２０の目詰まりが防止され、除菌エレメント２０の除菌機能の低下が防止される。
【００５２】
また、低濃度の殺菌用液２１を噴霧ノズル２９から噴霧しているため、除塵部１６において、除塵と共に、ある程度の除菌を行うことも可能である。このため、下流側の除菌エレメント２０の負荷を軽減することができる。また、低濃度の殺菌用液２１が液受け槽２４に溜められるため、液受け槽２４内に雑菌が繁殖するのを防止することができる。
【００５３】
また、噴霧ノズル２９から噴霧された低濃度の殺菌用液２１は、下降して液受け槽２４に回収され、再度噴霧ノズル２９から噴霧される。これにより、液受け槽２４に溜まった低濃度の殺菌用液２１が循環しながら噴霧ノズル２９から噴霧されるため、殺菌用液２１の使用量を節約することができ、殺菌用液２１の殺菌能力を限界まで（すなわち液受け槽２４内に雑菌が繁殖しないくらいの低濃度になるまで）十分に利用することができる。
【００５４】
また、除塵と除菌との負荷が上流側の除塵部１６と下流側の除菌部１７とに分散されるため、高度且つ確実な空気清浄が行える。
また、空気清浄装置９で除塵および除菌された空気Ａが中性能フィルタ１０を通過するため、中性能フィルタ１０の負荷が軽減され、中性能フィルタ１０の使用寿命が延長される。さらに、中性能フィルタ１０において雑菌の増殖が抑制され、異臭の発生を防止することができる。また、殺菌用液２１は腐食性を有するが、空気清浄装置９から流出する空気Ａに含まれる殺菌用液２１（腐食性ミスト）が中性能フィルタ１０で除去されるため、中性能フィルタ１０の下流側にあるコイル１１，１２やファン１３等の機器の腐食を防止することができる。
【００５５】
また、プレフィルタ８を噴霧ノズル２９の上流側（前段）で且つ液受け槽２４の上流側端部の上方に配置したため、噴霧ノズル２９から噴霧された低濃度の殺菌用液２１が液受け槽２４の前外方へ飛散するのを防止することができると共に、粗大な塵埃（ゴミ）が上流側から除塵部１６内に侵入するのを防止することができる。
【００５６】
（第２の実施の形態）
上記第１の実施の形態では、図１に示すように、中性能フィルタ１０が空気清浄装置９の下流側（後段）に設置されているが、第２の実施の形態では、図３に示すように、中性能フィルタ１０が空気清浄装置９の上流側（前段）に設置されると共にプレフィルタ８の下流側背面に一体的に取付けられている。
【００５７】
（第３の実施の形態）
上記第２の実施の形態では、図３に示すように、空気清浄装置９が冷却コイル１１の上流側に設置されているが、第３の実施の形態では、図４に示すように、空気清浄装置９が加熱コイル１２の下流側に設置されている。
【００５８】
（第４の実施の形態）
上記第１の実施の形態では、図１に示すように、共通の調和機ケーシング２内に、プレフィルタ８と空気清浄装置９と中性能フィルタ１０と冷却コイル１１と加熱コイル１２とファン１３とが設けられているが、第４の実施の形態では、図５に示すように、調和機ケーシング２が、上流側の第１ケーシング２ａと、下流側の第２ケーシング２ｂとに分離されており、第１ケーシング２ａの下流側と第２ケーシング２ｂの上流側とが逆Ｕ形状のダクト４５を介して連通している。
【００５９】
第１ケーシング２ａには外気流入口３と還気流入口４とが形成され、第１ケーシング２ａ内には空気清浄装置９が独立して設置されている。また、第２ケーシング２ｂには送出口５が形成され、第２ケーシング２ｂ内には、プレフィルタ８と中性能フィルタ１０と冷却コイル１１と加熱コイル１２とファン１３と気化式加湿器４６とが設置されている。
【００６０】
（第５の実施の形態）
上記第４の実施の形態では、図５に示すように、第１ケーシング２ａ内に空気清浄装置９が設置され、第２ケーシング２ｂ内にプレフィルタ８と中性能フィルタ１０と冷却コイル１１と加熱コイル１２とファン１３と気化式加湿器４６とが設置されているが、第５の実施の形態では、図６に示すように、第１ケーシング２ａ内にプレフィルタ８と中性能フィルタ１０と冷却コイル１１と加熱コイル１２とファン１３と気化式加湿器４６とが設置され、第２ケーシング２ｂ内に空気清浄装置９が独立して設置されている。
【００６１】
（その他の実施の形態）
上記各実施の形態では、図２に示すように、除菌部１７の除菌装置１９は、除菌エレメント２０の上方から殺菌用液２１を滴下する形態を示しているが、除菌装置２０は、除菌エレメント２０に向かって殺菌用液２１を噴霧する噴霧装置を設けた形態や、除菌エレメント２０を設けずに空気中に殺菌用液２１を噴霧する噴霧装置を設けた形態であってもよい。
【００６２】
また、上記各実施の形態では、空気調和機１の空気の流入口は外気流入口３と還気流入口４の２つの流入口を設けた形態を示しているが、空気流入口の数はこれに限られず、空気の流入口は外気流入口３または還気流入口４の何れか１つであってもよく、また、３つ以上の流入口を設けてあってもよい。
【符号の説明】
【００６３】
１      空気調和機
９      空気清浄装置
１０    中性能フィルタ
１６    除塵部
１７    除菌部
１９    除菌装置
２０    除菌エレメント
２１    殺菌用液
２２    滴下部
２４    液受け槽（液受け部）
２７    ワッシャメディア
２８    噴霧装置
Ａ      空気
【図１】
0005933231.tif 000002
【図２】
0005933231.tif 000003
【図３】
0005933231.tif 000004
【図４】
0005933231.tif 000005
【図５】
0005933231.tif 000006
【図６】
0005933231.tif 000007
【図７】
0005933231.tif 000008